【手続補正書】
【提出日】平成16年7月16日(2004.7.16)
【手続補正１】
【補正対象書類名】明細書
【補正対象項目名】００２０
【補正方法】変更
【補正の内容】
【００２０】
前記構成では、前記駆動ロール１９ａが回転すると、それに当接している従動ロール１９ｂが回転し、このときギヤ３２ａ及び３４ａが回転する。そのとき図４から分かるように、前記クラッチ３４ｂがオフであれば、前記ギヤ３４ａとともに、回転軸３４が回転するので、回転軸３４に固着された従動ロール３１ｂ及びシート揃えパドル３１ｃも一体的に回転する。このとき、排出ロール支持アーム３３は前記回転軸３２，３４と回転自在に連結されている。前記排出ロール支持アーム３３の前記回転軸３２の周囲は半円形に構成され、その周囲には歯車が構成されている。この歯車はモータ３５の出力軸に固着された出力歯車３５ａと噛み合っている。
【手続補正２】
【補正対象書類名】明細書
【補正対象項目名】００２１
【補正方法】変更
【補正の内容】
【００２１】
従って図４において、モータ３５が矢印Ａ１方向に回転すると、前記排出ロール支持アーム３３は、前記回転軸３２周りに矢印Ａ２方向に回転し、前記図２に示す位置（シート支持板２３から離れた位置）から図３（ｂ）に示す位置（シート支持板２３に接近した位置）との間で回動することができるようになっている。そして、図３（ｂ）に示す位置（シート支持板２３上のシートに対して従動ロール３１ｂが離れているがシート揃えパドル３１ｃが接触する位置）において、クラッチ３４ｂがオフの状態（回転軸３４とギヤ３４ａとが結合状態）で駆動ロール１９ａが回転すると、図４から分かるように、従動ロール１９ｂ、回転軸３２、ギヤ３２ａ，３４ａ、回転軸３４と共にシート揃えパドル３１ｃが回転する。このとき、シート揃えパドル３１ｃはシートＳを図３（ｂ）で左方に移動させてシート揃えを行うように回転する。
【手続補正３】
【補正対象書類名】明細書
【補正対象項目名】００３１
【補正方法】変更
【補正の内容】
【００３１】
更に、本実施の形態に係るシート処理装置ＦＵの制御は、図８に示す制御装置１００にて行われるようになっている。
同図において、制御装置１００は、シートエントランスセンサＳＳからのシート検知信号及びシート束エントランスセンサＳＢからのシート束検知信号が入力インターフェース１０１を介してＣＰＵ１０２に取り込まれ、次に、ＣＰＵ１０２は、ＲＯＭ１０３に格納されている制御プログラムを実行してＲＡＭ１０４との間で適宜データ処理を行った後、出力インターフェース１０５を介して、前記ステープラ３６、前記搬送ロール２８ａを駆動する搬送モータＭＢ、折りナイフ偏心カム７８、前記中折り用ベルト装置７３（具体的には折りロール７３ａ、７３ｂ）、７４（具体的には折りロール７４ａ、７４ｂ）を駆動する折りモータＭＦ及びシート束排出ロール８１ａを駆動する排出モータＭＯに、夫々駆動信号を送出するようになっている。
【手続補正４】
【補正対象書類名】明細書
【補正対象項目名】００３４
【補正方法】変更
【補正の内容】
【００３４】
その後、搬送されたシート束Ｂは、シート束エントランスセンサＳＢとの対向部に到達し、シート束エントランスセンサＳＢがオンとなる。そのｔ２時間（ｔ２はシート束Ｂの先端部がストッパ７１に到達する時間以上に設定される）経過後、折りナイフ偏心カム７８が駆動されて折りナイフ７６がシート束Ｂの中央部に押し込まれると共に、折りモータＭＦが駆動されて折りロール７３ａ，７３ｂ，７４ａ，７４ｂ（ベルト７３ｃ，７４ｃ）が搬送方向（正方向）に回転し折り動作が開始される。そして、折りロール７３ａ、７４ａのニップ部Ｎ１にシート束Ｂの折り部がちょうど挟まれた時点で折りモータＭＦの駆動が一旦停止され、折り処理が行われる。
【手続補正５】
【補正対象書類名】明細書
【補正対象項目名】００３６
【補正方法】変更
【補正の内容】
【００３６】
そして、同様に次のシート束Ｂの最後（Ｎ枚目）のシートＳがシートエントランスセンサＳＳを通過すると、そのｔ１時間経過後、ステープラ３６により次のシート束Ｂに中綴じが施される。そして、中綴じの終了と同時に、搬送モータＭＢの駆動が開始され、搬送ロール２８ａによって中綴じされた次のシート束Ｂが折り畳み部６８に向けて搬送される。
また、ステープラ３６により次のシート束Ｂに中綴じが施されるのと同時に、折りモータＭＦ及び排出モータＭＯが駆動されて折りロール７３ａ，７３ｂ，７４ａ，７４ｂ（ベルト７３ｃ，７４ｃ）及びシート束排出ロール８１ａが搬送方向に回転せしめられ、折られたシート束Ｂが中折りトレイ８６に排出される。
【手続補正６】
【補正対象書類名】明細書
【補正対象項目名】００３７
【補正方法】変更
【補正の内容】
【００３７】
一方、前記Ｎ枚目のシートＳがシートエントランスセンサＳＳを通過してからｔ０時間を経過してもシートエントランスセンサＳＳでシートＳが検知されない場合は、折り処理中のシート束Ｂが最後のシート束Ｂであるものとし、前記Ｎ枚目のシートＳがシートエントランスセンサＳＳを通過してからｔ１１時間経過後に、折りモータＭＦ及び排出モータＭＯを駆動して折りロール７３ａ，７３ｂ，７４ａ，７４ｂ（ベルト７３ｃ，７４ｃ）及びシート束排出ロール８１ａを搬送方向に回転させ、折られたシート束Ｂを中折りトレイ８６に排出させる。
尚、シート処理装置ＦＵが、このシート束Ｂが予めジョブの最後のシート束Ｂと認識できている場合は、時間ｔ０の検出を行わず、ｔ１１時間経過後に折られたシート束Ｂの排出を開始するようにしてもよい。
【手続補正７】
【補正対象書類名】明細書
【補正対象項目名】００４２
【補正方法】変更
【補正の内容】
【００４２】
その後、搬送されたシート束Ｂは、シート束エントランスセンサＳＢとの対向部に到達し、シート束エントランスセンサＳＢがオンとなる。そのｔ２時間（ｔ２はシート束Ｂの先端部がストッパ７１に到達する時間以上に設定される）経過後、折りナイフ偏心カム７８が駆動されて折りナイフ７６がシート束Ｂの中央部に押し込まれると共に、折りモータＭＦが駆動されて折りロール７３ａ，７３ｂ，７４ａ，７４ｂ（ベルト７３ｃ，７４ｃ）が搬送方向（正方向）に回転し折り動作が開始される。そして、折りロール７３ｂ、７４ｂのニップ部Ｎ２をシート束Ｂの折り部が通過した時点で折りモータＭＦの駆動が一旦停止され、その後前記ニップＮ２の前後に当該折り部を移動させるように、すなわち、折り部がニップ部Ｎ１を行ったり来たりするように折りモータＭＦが正逆方向に駆動され折り処理が行われる。
【手続補正８】
【補正対象書類名】明細書
【補正対象項目名】００４４
【補正方法】変更
【補正の内容】
【００４４】
そして、同様に次のシート束Ｂの最後（Ｎ枚目）のシートＳがシートエントランスセンサＳＳを通過すると、そのｔ１時間経過後、ステープラ３６により次のシート束Ｂに中綴じが施される。そして、中綴じの終了と同時に、搬送モータＭＢの駆動が開始され、搬送ロール２８ａによって中綴じされた次のシート束Ｂが折り畳み部６８に向けて搬送される。
また、ステープラ３６により次のシート束Ｂに中綴じが施されるのと同時に、折りモータＭＦ及び排出モータＭＯが駆動されて折りロール７３ａ，７３ｂ，７４ａ，７４ｂ（ベルト７３ｃ，７４ｃ）及びシート束排出ロール８１ａが搬送方向に回転せしめられ、折られたシート束Ｂが中折りトレイ８６に排出される。
【手続補正９】
【補正対象書類名】明細書
【補正対象項目名】００４５
【補正方法】変更
【補正の内容】
【００４５】
一方、前記Ｎ枚目のシートＳがシートエントランスセンサＳＳを通過してからｔ０時間を経過してもシートエントランスセンサＳＳでシートＳが検知されない場合は、折り処理中のシート束Ｂが最後のシート束Ｂであるものとし、前記Ｎ枚目のシートＳがシートエントランスセンサＳＳを通過してからｔ１２時間経過後に、折りモータＭＦ及び排出モータＭＯを駆動して折りロール７３ａ，７３ｂ，７４ａ，７４ｂ（ベルト７３ｃ，７４ｃ）及びシート束排出ロール８１ａを搬送方向に回転させ、折られたシート束Ｂを中折りトレイ８６に排出させる。
尚、シート処理装置ＦＵが、このシート束Ｂが予めジョブの最後のシート束Ｂと認識できている場合は、時間ｔ０の検出を行わず、ｔ１２時間経過後に折られたシート束Ｂの排出を開始するようにしてもよい。
【手続補正１０】
【補正対象書類名】明細書
【補正対象項目名】００５１
【補正方法】変更
【補正の内容】
【００５１】
その後、搬送されたシート束Ｂは、シート束エントランスセンサＳＢとの対向部に到達し、シート束エントランスセンサＳＢがオンとなる。そのｔ２時間（ｔ２はシート束Ｂの先端部がストッパ７１に到達する時間以上に設定される）経過後、折りナイフ偏心カム７８が駆動されて折りナイフ７６がシート束Ｂの中央部に押し込まれると共に、折りモータＭＦが駆動されて折りロール７３ａ，７３ｂ，７４ａ，７４ｂ（ベルト７３ｃ，７４ｃ）が搬送方向（正方向）に回転し折り動作が開始される。そして、プレス機８４の中央部にシート束Ｂの折り部が到達した時点で折りモータＭＦの駆動が一旦停止されると共に、プレス偏心カム８５が駆動されて押圧部８４ｂと基部８４ａとの間に折り部が挟み込まれ、折り処理が行われる。
【手続補正１１】
【補正対象書類名】明細書
【補正対象項目名】００５３
【補正方法】変更
【補正の内容】
【００５３】
そして、同様に次のシート束Ｂの最後（Ｎ枚目）のシートＳがシートエントランスセンサＳＳを通過すると、そのｔ１時間経過後、ステープラ３６により次のシート束Ｂに中綴じが施される。そして、中綴じの終了と同時に、搬送モータＭＢの駆動が開始され、搬送ロール２８ａによって中綴じされた次のシート束Ｂが折り畳み部６８に向けて搬送される。
また、ステープラ３６により次のシート束Ｂに中綴じが施されるのと同時に、プレス偏心カム８５が駆動されて押圧部８４ｂが基部８４ａから離間せしめられ、折りモータＭＦ及び排出モータＭＯが駆動されて折りロール７３ａ，７３ｂ，７４ａ，７４ｂ（ベルト７３ｃ，７４ｃ）及びシート束排出ロール８１ａが搬送方向に回転せしめられ、折られたシート束Ｂが中折りトレイ８６に排出される。
【手続補正１２】
【補正対象書類名】明細書
【補正対象項目名】００５４
【補正方法】変更
【補正の内容】
【００５４】
一方、前記Ｎ枚目のシートＳがシートエントランスセンサＳＳを通過してからｔ０時間を経過してもシートエントランスセンサＳＳでシートＳが検知されない場合は、折り処理中のシート束Ｂが最後のシート束Ｂであるものとし、前記Ｎ枚目のシートＳがシートエントランスセンサＳＳを通過してからｔ１３時間経過後に、プレス偏心カム８５が駆動されて押圧部８４ｂが基部８４ａから離間せしめられ、折りモータＭＦ及び排出モータＭＯが駆動されて折りロール７３ａ，７３ｂ，７４ａ，７４ｂ（ベルト７３ｃ，７４ｃ）及びシート束排出ロール８１ａが搬送方向に回転せしめられ、折られたシート束Ｂが中折りトレイ８６に排出される。
尚、シート処理装置ＦＵが、このシート束Ｂが予めジョブの最後のシート束Ｂと認識できている場合は、時間ｔ０の検出を行わず、ｔ１３時間経過後に折られたシート束Ｂの排出を開始するようにしてもよい。
【手続補正１３】
【補正対象書類名】明細書
【補正対象項目名】００５６
【補正方法】変更
【補正の内容】
【００５６】
尚、大型の装置では、例えば図１０に示すように、シート処理装置ＦＵの下流側に、折られたシート束Ｂの先端部を揃えるための断裁機ＣＵが設けられることがある。ここで符号９１（９１ａ，９１ｂ），９２（９２ａ，９２ｂ），９６（９６ａ，９６ｂ）は搬送ロール、９３は裁断用の基台、９４裁断用の押さえ板、９５はカッター、９７は裁断トレイを示しており、前記カッター９５は、上下方向に駆動される可動刃９５ａと前記基台９３に配設される固定刃９５ｂとを有している。
この裁断機ＣＵでは、裁断時、基台９３と押さえ板９４とでシート束Ｂを挟んだ後、カッター９５によって裁断が行われる。
このように裁断機ＣＵが設けられる態様にあっては、上述したプレス機８４の代わりに、これら基台９３と押さえ板９４とをプレス機として用い、そのプレス時間（折り処理時間）を制御するようにしてもよい。
【手続補正１４】
【補正対象書類名】明細書
【補正対象項目名】００６０
【補正方法】変更
【補正の内容】
【００６０】
その後、搬送されたシート束Ｂは、シート束エントランスセンサＳＢとの対向部に到達し、シート束エントランスセンサＳＢがオンとなる。そのｔ２時間（ｔ２はシート束Ｂの先端部がストッパ７１に到達する時間以上に設定される）経過後、折りナイフ偏心カム７８が駆動されて折りナイフ７６がシート束Ｂの中央部に押し込まれると共に、折りモータＭＦ及び排出モータＭＯが駆動され折りロール７３ａ，７３ｂ，７４ａ，７４ｂ（ベルト７３ｃ，７４ｃ）及びシート束排出ロール８１ａが搬送方向に回転せしめられ、シート束Ｂが折られながら中折りトレイ８６に排出される。